【手続補正書】
【提出日】平成31年1月23日(2019.1.23)
【手続補正１】
【補正対象書類名】明細書
【補正対象項目名】０００８
【補正方法】変更
【補正の内容】
【０００８】
本発明の一態様に係る印刷装置は、被印刷媒体に印刷を行うサーマルヘッドと、前記サーマルヘッドを駆動するヘッド駆動回路と、を備える。前記サーマルヘッドは、電圧の印加により温度が調整される複数の発熱素子を有し、前記ヘッド駆動回路は、周期的に供給される、制御信号と印刷データに応じて、前記複数の発熱素子のそれぞれへの電圧印加を制御し、前記制御信号の１周期は、互いに離間した、第１の電圧印加制御期間と第２の電圧印加制御期間とを含み、前記第１の電圧印加制御期間は、前記電圧印加の制御により前記印刷が行われる期間であり、前記第２の電圧印加制御期間は、前記電圧印加の制御により、前記印刷は行われず、前記サーマルヘッドの温度が調整される期間である。
【手続補正２】
【補正対象書類名】明細書
【補正対象項目名】０００９
【補正方法】変更
【補正の内容】
【０００９】
本発明の一態様に係る制御方法は、印刷装置の制御方法であって、前記印刷装置は、被印刷媒体に印刷を行うサーマルヘッドと、前記サーマルヘッドを駆動するヘッド駆動回路と、を備える。前記サーマルヘッドは、電圧の印加により温度が調整される複数の発熱素子を有し、前記ヘッド駆動回路は、周期的に供給される、制御信号と印刷データに応じて、前記複数の発熱素子のそれぞれへの電圧印加を制御し、前記制御方法は、前記制御信号の１周期が、前記制御信号の１周期内に、互いに離間した、第１の電圧印加制御期間と第２の電圧印加制御期間を含むように設定し、前記第１の電圧印加制御期間は、前記電圧印加の制御により前記印刷が行われる期間であり、前記第２の電圧印加制御期間は、前記電圧印加の制御により、前記印刷を行われず、前記サーマルヘッドの温度が調整される期間である、ステップと、前記ヘッド駆動回路に前記制御信号と前記印刷データを供給して、前記ヘッド駆動回路により前記サーマルヘッドを駆動するステップと、を含む。
【手続補正３】
【補正対象書類名】明細書
【補正対象項目名】００１０
【補正方法】変更
【補正の内容】
【００１０】
本発明の一態様に係るプログラムは、印刷装置を制御するコンピュータにより実行されるプログラムであって、前記印刷装置は、被印刷媒体に印刷を行うサーマルヘッドと、前記サーマルヘッドを駆動するヘッド駆動回路と、を備える。前記サーマルヘッドは、電圧の印加により温度が調整される複数の発熱素子を有し、前記ヘッド駆動回路は、周期的に供給される、制御信号と印刷データに応じて、前記複数の発熱素子のそれぞれへの電圧印加を制御し、前記プログラムは、前記コンピュータにおいて、前記制御信号を、前記制御信号の１周期が、互いに離間した、第１の電圧印加制御期間と第２の電圧印加制御期間を含むように設定し、前記第１の電圧印加制御期間は、前記電圧印加の制御により前記印刷が行われる期間であり、前記第２の電圧印加制御期間は、前記電圧印加の制御により、前記印刷は行われず、前記サーマルヘッドの温度が調整される期間であり、前記ヘッド駆動回路に前記制御信号と前記印刷データを供給して、前記ヘッド駆動回路により前記サーマルヘッドを駆動させる。
【手続補正４】
【補正対象書類名】特許請求の範囲
【補正対象項目名】全文
【補正方法】変更
【補正の内容】
【特許請求の範囲】
【請求項１】
被印刷媒体に印刷を行うサーマルヘッドと、
前記サーマルヘッドを駆動するヘッド駆動回路と、
を備え、
前記サーマルヘッドは、電圧の印加により温度が調整される複数の発熱素子を有し、
前記ヘッド駆動回路は、周期的に供給される、制御信号と印刷データに応じて、前記複数の発熱素子のそれぞれへの電圧印加を制御し、
前記制御信号の１周期は、互いに離間した、第１の電圧印加制御期間と第２の電圧印加制御期間とを含み、
前記第１の電圧印加制御期間は、前記電圧印加の制御により前記印刷が行われる期間であり、
前記第２の電圧印加制御期間は、前記電圧印加の制御により、前記印刷は行われず、前記サーマルヘッドの温度が調整される期間である、ことを特徴とする印刷装置。
【請求項２】
請求項１に記載の印刷装置において、
前記第２の電圧印加制御期間は、前記サーマルヘッドの温度の低下を抑制するための期間である、ことを特徴とする印刷装置。
【請求項３】
請求項１又は２に記載の印刷装置において、
前記ヘッド駆動回路は、前記印刷データに基づいて、前記サーマルヘッドにより前記被印刷媒体に１ラインずつ順次、前記印刷を行うように、前記サーマルヘッドを駆動し、
前記第１の電圧印加制御期間及び前記第２の電圧印加制御期間は、前記サーマルヘッドが前記被印刷媒体に１ラインの印刷を行うための１ライン周期の期間内に設けられ、
前記第２の電圧印加制御期間は、前記第１の電圧印加制御期間よりも短く、ゼロ時間で無く、前記印刷が行われない時間に設定されている、ことを特徴とする印刷装置。
【請求項４】
請求項３に記載の印刷装置は、前記制御信号及び前記印刷データを生成して前記ヘッド駆動回路へ供給するヘッド制御部を備え、
前記ヘッド制御部は、前記サーマルヘッドにより印刷予定の第１ラインに対応する前記１ライン周期の期間と、前記第１ラインの直後に印刷予定の第２ラインに対応する前記１ライン周期の期間のそれぞれにおける、前記第１の電圧印加制御期間における前記複数の発熱素子のうちの少なくとも一つの特定の発熱素子への前記電圧印加の状態が特定の条件を満たす場合に、前記第１ラインに対応する前記１ライン周期の期間における前記第２の電圧印加制御期間中に前記特定の発熱素子への前記電圧印加が行われるように、前記印刷データを生成し、
前記第１の電圧印加制御期間は、第１期間と、前記第１期間より後の第２期間と、を有し、
前記所定の条件は、前記第１ラインに対応する前記１ライン周期の期間における前記第１の電圧印加制御期間中の前記第１期間に前記特定の発熱素子への前記電圧印加が行われず、且つ、前記第２ラインに対応する前記１ライン周期の期間における前記第１の電圧印加制御期間中に前記特定の発熱素子への前記電圧印加が行われないことである、ことを特徴とする印刷装置。
【請求項５】
請求項３に記載の印刷装置は、前記制御信号及び前記印刷データを生成して前記ヘッド駆動回路へ供給するヘッド制御部を備え、
前記ヘッド制御部は、前記サーマルヘッドにより印刷予定の第１ラインに対応する前記１ライン周期の期間と、第１ラインの直後に印刷予定の第２ラインに対応する前記１ライン周期の期間のそれぞれにおける、前記第１の電圧印加制御期間における前記複数の発熱素子のうちの少なくとも一つの特定の発熱素子への電圧印加の状態が特定の条件を満たしている場合に、前記第１ラインに対応する前記１ライン周期の期間における前記第２の電圧印加制御期間中に前記特定の発熱素子への電圧印加が行われるように、前記印刷データを生成し、
前記第１の電圧印加制御期間は、第１期間と、前記第１期間より後の第２期間と、を有し、
前記被印刷媒体に印刷される前記１ラインは所定数を超える印刷ドットを有し、
前記所定の条件は、前記第１ラインに対応する前記１ライン周期の期間における前記第１の電圧印加制御期間中の前記第１期間に前記特定の発熱素子への電圧印加が行われ、前記第２期間には前記特定の発熱素子への電圧印加が行われず、且つ、前記第２ラインに対応する前記１ライン周期の期間における前記第１の電圧印加制御期間中に前記特定の発熱素子への電圧印加が行われないことであることを特徴とする印刷装置。
【請求項６】
請求項５に記載の印刷装置において、
前記ヘッド制御部は、前記サーマルヘッドが前記被印刷媒体に前記所定数を超える印刷ドットを有する１ラインの印刷を行うときに、前記制御信号の波形が、前記１ライン周期の期間内に、各々が互いに異なる発熱素子への電圧印加を制御する互いに離間した複数の前記第１の電圧印加制御期間と、前記複数の第１の電圧印加制御期間の各々に対応する複数の前記第２の電圧印加制御期間と、を含むように前記制御信号を生成して、前記ヘッド駆動回路へ供給することを特徴とする印刷装置。
【請求項７】
請求項６に記載の印刷装置において、
前記複数の第２の電圧印加制御期間は、前記１ライン周期の期間内において、前記複数の第１の電圧印加制御期間よりも後の時刻に設けられていることを特徴とする印刷装置。
【請求項８】
請求項１乃至請求項７のいずれか１項に記載の印刷装置において、
前記ヘッド駆動回路は、前記印刷データに基づいて、前記サーマルヘッドにより前記被印刷媒体に１ラインずつ順次、前記印刷を行うように、前記サーマルヘッドを駆動し、
前記印刷データは、
前記被印刷媒体に印刷する対象のラインに形成する印刷パターンを示す第１の印刷データと、
前記サーマルヘッドにより前記対象のラインよりも先に印刷が行われる先行ラインに形成する印刷パターンに基づいて生成された第２の印刷データと、
前記第１の印刷データと、前記第２の印刷データと、前記対象のラインの次に印刷が行われる次ラインに形成する印刷パターンを示す第４の印刷データと、に基づいて生成された第３の印刷データと、を含み、
前記ヘッド駆動回路は、
前記制御信号の前記第１の電圧印加制御期間中に、前記第１の印刷データ及び前記第２の印刷データに基づいて前記複数の発熱素子のそれぞれへの電圧印加又は電圧非印加を行い、
前記第２の電圧印加制御期間中に、前記第３の印刷データに基づいて前記複数の発熱素子のそれぞれへの電圧印加又は電圧非印加を行うことを特徴とする印刷装置。
【請求項９】
印刷装置の制御方法であって、
前記印刷装置は、被印刷媒体に印刷を行うサーマルヘッドと、前記サーマルヘッドを駆動するヘッド駆動回路と、を備え、
前記サーマルヘッドは、電圧の印加により温度が調整される複数の発熱素子を有し、前記ヘッド駆動回路は、周期的に供給される、制御信号と印刷データに応じて、前記複数の発熱素子のそれぞれへの電圧印加を制御し、
前記制御方法は、
前記制御信号の１周期が、前記制御信号の１周期内に、互いに離間した、第１の電圧印加制御期間と第２の電圧印加制御期間を含むように設定し、前記第１の電圧印加制御期間は、前記電圧印加の制御により前記印刷が行われる期間であり、前記第２の電圧印加制御期間は、前記電圧印加の制御により、前記印刷を行われず、前記サーマルヘッドの温度が調整される期間である、ステップと、
前記ヘッド駆動回路に前記制御信号と前記印刷データを供給して、前記ヘッド駆動回路により前記サーマルヘッドを駆動するステップと、
を含むことを特徴とする制御方法。
【請求項１０】
請求項９に記載の印刷装置の制御方法において、
前記第２の電圧印加制御期間は、前記サーマルヘッドの温度の低下を抑制するための期間であることを特徴とする制御方法。
【請求項１１】
請求項９に記載の印刷装置の制御方法は、
前記印刷データに基づいて、前記ヘッド駆動回路により、前記サーマルヘッドにより前記被印刷媒体に１ラインずつ順次、前記印刷を行うように、前記サーマルヘッドを駆動するステップを含み、
前記第１の電圧印加制御期間及び前記第２の電圧印加制御期間は、前記サーマルヘッドが前記被印刷媒体に前記１ラインの印刷を行うための１ライン周期の期間内に設けられ、
前記第２の電圧印加制御期間は前記第１の電圧印加制御期間よりも短く、ゼロ時間で無く、前記印刷が行われない時間に設定されている。
【請求項１２】
請求項１１に記載の印刷装置の制御方法は、
前記サーマルヘッドにより印刷予定の第１ラインに対応する前記１ライン周期の期間と、第１ラインの直後に印刷予定の第２ラインに対応する前記１ライン周期の期間のそれぞれにおける、前記第１の電圧印加制御期間における前記複数の発熱素子のうちの少なくとも一つの特定の発熱素子への電圧印加の状態が特定の条件を満たしている場合に、前記第１ラインに対応する前記１ライン周期の期間における前記第２の電圧印加制御期間中に前記特定の発熱素子への電圧印加が行われるように、前記印刷データを生成するステップを含み、
前記第１の電圧印加制御期間は、第１期間と、前記第１期間より後の第２期間と、を有し、
前記特定の条件は、
前記第１ラインに対応する前記１ライン周期の期間における前記第１の電圧印加制御期間中の前記第１期間に前記特定の発熱素子への電圧印加が行われ、前記第２期間には前記特定の発熱素子への電圧印加が行われず、且つ、前記第２ラインに対応する前記１ライン周期の期間における前記第１の電圧印加制御期間中に前記特定の発熱素子への電圧印加が行われないことである。
【請求項１３】
請求項１１に記載の印刷装置の制御方法は、
前記サーマルヘッドにより印刷予定の第１ラインに対応する前記１ライン周期の期間と、第１ラインの直後に印刷予定の第２ラインに対応する前記１ライン周期の期間のそれぞれにおける、前記第１の電圧印加制御期間における前記複数の発熱素子のうちの少なくとも一つの特定の発熱素子への電圧印加の状態が特定の条件を満たしている場合に、前記第１ラインに対応する前記１ライン周期の期間における前記第２の電圧印加制御期間中に前記特定の発熱素子への電圧印加が行われるように、前記印刷データを生成するステップを含み、
前記第１の電圧印加制御期間は、第１期間と、前記第１期間より後の第２期間と、を有し、
前記被印刷媒体に印刷される前記１ラインは所定数を超える印刷ドットを有し、
前記所定の条件は、
前記第１ラインに対応する前記１ライン周期の期間における前記第１の電圧印加制御期間中の前記第１期間に前記特定の発熱素子への電圧印加が行われ、前記第２期間には前記特定の発熱素子への電圧印加が行われず、且つ、前記第２ラインに対応する前記１ライン周期の期間における前記第１の電圧印加制御期間中に前記特定の発熱素子への電圧印加が行われないことである。
【請求項１４】
請求項１３に記載の印刷装置の制御方法は、
前記サーマルヘッドが前記被印刷媒体に前記所定数を超える印刷ドットを有する１ラインの前記印刷を行うときに、前記制御信号の波形が、前記１ライン周期の期間内に、各々が互いに異なる発熱素子への電圧印加を制御する互いに離間した複数の前記第１の電圧印加制御期間と、前記複数の第１の電圧印加制御期間の各々に対応する複数の前記第２の電圧印加制御期間と、を含むように前記制御信号を生成して、前記ヘッド駆動回路へ供給するステップを含む。
【請求項１５】
請求項１４に記載の印刷装置の制御方法において、
前記複数の第２の電圧印加制御期間は、前記１ライン周期の期間内において、前記複数の第１の電圧印加制御期間よりも時間的に後の時刻に設けられている。
【請求項１６】
請求項９乃至請求項１５のいずれか１項に記載の印刷装置の制御方法は、
前記印刷データに基づいて、前記ヘッド駆動回路により、前記サーマルヘッドにより前記被印刷媒体に１ラインずつ順次、前記印刷を行うように、前記サーマルヘッドを駆動するステップを含み、
前記印刷データは、
前記被印刷媒体に印刷する対象のラインに形成する印刷パターンを示す第１の印刷データと、
前記サーマルヘッドにより前記対象のラインよりも先に前記印刷が行われる先行ラインに形成する印刷パターンに基づいて生成される第２の印刷データと、
前記第１の印刷データと、前記第２の印刷データと、前記対象のラインの次に前記印刷が行われる次ラインに形成する印刷パターンを示す第４の印刷データと、に基づいて生成された第３の印刷データと、を含み、
前記制御方法は、前記ヘッド駆動回路により、
前記第１の電圧印加制御期間中に、前記第１の印刷データ及び前記第２の印刷データに基づいて前記複数の発熱素子のそれぞれへの電圧印加又は電圧非印加を行うステップと、
前記第２の電圧印加制御期間中に、前記第３の印刷データに基づいて前記複数の発熱素子のそれぞれへの電圧印加又は電圧非印加を行うステップと、
を含む。
【請求項１７】
印刷装置を制御するコンピュータにより実行されるプログラムであって、
前記印刷装置は、被印刷媒体に印刷を行うサーマルヘッドと、前記サーマルヘッドを駆動するヘッド駆動回路と、を備え、前記サーマルヘッドは、電圧の印加により温度が調整される複数の発熱素子を有し、前記ヘッド駆動回路は、周期的に供給される、制御信号と印刷データに応じて、前記複数の発熱素子のそれぞれへの電圧印加を制御し、
前記プログラムは、
前記コンピュータにおいて、
前記制御信号を、前記制御信号の１周期が、互いに離間した、第１の電圧印加制御期間と第２の電圧印加制御期間を含むように設定し、前記第１の電圧印加制御期間は、前記電圧印加の制御により前記印刷が行われる期間であり、前記第２の電圧印加制御期間は、前記電圧印加の制御により、前記印刷は行われず、前記サーマルヘッドの温度が調整される期間であり、
前記ヘッド駆動回路に前記制御信号と前記印刷データを供給して、前記ヘッド駆動回路により前記サーマルヘッドを駆動させる、
ことを特徴とするプログラム。